(57)【要約】【課題】  操作メニューの正確な選択・確定が容易であり、操作時間を短縮して操作能率を向上させることができるとともに、操作エラーの発生を抑制することで信頼性を高めることができる生産設備のコントローラを提供する。【解決手段】  コントローラ１００は操作メニュー２Ａ〜２Ｉが表示される表示部１１０を備えている。操作体系特定キー１３１の１つを押すことによって、操作体系に分類した操作メニューにおけるサブメニューの項目１１５〜１１８が表示され、この中から所望の項目を選択して確定する。【選択図】        図１
2007087231.tif 000002
【特許請求の範囲】
【請求項１】
生産設備の操作メニューが表示される表示部を備えた生産設備のコントローラにおいて、
前記操作メニューは操作体系に分類され、これら操作体系に分類した操作メニューを前記表示部に表示させる操作体系特定キーを備えていることを特徴とする生産設備のコントローラ。
【請求項２】
請求項１に記載の生産設備のコントローラにおいて、
前記操作メニューがサブメニューを有し、このサブメニューの項目が前記操作体系特定キーの経時押圧によりスクロールされて前記表示部に順次表示されることを特徴とする生産設備のコントローラ。
【請求項３】
請求項１または請求項２に記載の生産設備のコントローラにおいて、
前記サブメニューの項目の表示順位は、表示頻度の高い項目が表示頻度の低い項目に優先するように構成されていることを特徴とする生産設備のコントローラ。
【請求項４】
請求項１、請求項２または請求項３に記載の生産設備のコントローラにおいて、
前記生産設備は、成形品取出機であることを特徴とする生産設備のコントローラ。
【発明の詳細な説明】
【技術分野】
【０００１】
本発明は、生産設備のコントローラに係り、たとえば、樹脂成形機によって成形された成形品やスプールなどを型開した金型から取出す成形品取出機の動作制御に好適な生産設備のコントローラに関するものである。
【背景技術】
【０００２】
従来、樹脂成形機によって成形された成形品やスプールなどを型開した金型から取出す成形品取出機の動作制御は、図９に示すコントローラによって行われている。
【０００３】
図９、図１０において、コントローラ１００は、複数個（たとえば９個）のアイコン２Ａ〜２Ｉを、生産設備の操作メニューとして表示する液晶表示部１１０（以下では表示部１１０という）と、４方向走査を行う４つの走査キー１１１Ａ〜１１１Ｄを周囲に配置し、その中心部にエンターキー（確定キー）１１１Ｅを配置したスクロールキー１１１と、０〜９の数字を表示した１０個の数字キー１１２とを備え、表示部１１０には９個のアイコン２Ａ〜２Ｉを各別に取り囲む表示枠１０１〜１０９が表示されている。なお、図中１１３は非常停止ボタンを示し、２００は電源スイッチを示しコントローラの底面の凹箇所に位置している。
【０００４】
前記コントローラ１００において、電源スイッチ２００をＯＮすると、９個のアイコン２Ａ〜２Ｉが生産設備の操作メニューとして表示部１１０の９個の表示枠１０１〜１０９内に振り分けて表示される。そして、図１０に示すように、カーソル１１４は、クロス斜線で示すように表示枠１０７にあって、アイコン２Ｇを特定している。
【０００５】
この状態で確定キー１１１Ｅを押すと、操作メニューとしてアイコン２Ｇが選択・確定され、表示部１１０には、図１１に示すように、アイコン２Ｇに相当する操作メニューを細分化したサブメニュー１００Ｘの項目１１５〜１１８が表示され、クロス斜線で示すカーソル１１４は、項目１１８を特定している。この状態で確定キー１１１Ｅを押すと、項目１１８が選択・確定されることになり、この項目１１８に基づいて生産設備をコントロルすることができる。
【０００６】
一方、図１０において、今、操作メニューとして表示枠１０３内に表示されているアイコン２Ｃを選択・確定したい場合には、たとえば、図９に示すスクロールキー１１１の走査キー１１１Ｂを押して、図１０の表示枠１０７にあるカーソル１１４を矢印ａで示すように表示枠１０１まで移動させたのちに、図９に示すスクロールキー１１１の走査キー１１１Ｄを押して図１０の表示枠１０１にあるカーソル１１４を矢印ｂで示すように表示枠１０３まで移動させ、ここで、確定キー１１１Ｅを押すことによって、操作メニューとしてアイコン２Ｃが選択・確定され、表示部１１０には、図１２に示すように、アイコン２Ｃに相当する操作メニューを細分化したサブメニュー１００Ｘの項目１１９〜１２２が表示され、クロス斜線で示すカーソル１１４は、項目１２２を特定している。この状態で確定キー１１１Ｅを押すと、項目１２２が選択・確定されることになり、この項目１１８に基づいて生産設備をコントロールすることができる。
【０００７】
他方、図１１示す項目１１５〜１１８において項目１１８以外の項目１１５、１１６、１１７を選択・確定する場合には、図９に示すスクロールキー１１１の走査キー１１１Ｂを押して、項目１１８にあるカーソル１１４を項目１１５、１１６、１１７のいずれかの位置に移動させ、ここで、確定キー１１１Ｅを押すことによって、項目１１５、１１６、１１７のいずれかが選択・確定されることになって、選択・確定された項目１１５、１１６、１１７のいずれかに基づいて生産設備をコントロールすることができる。また、図１２に示す項目１１９〜１２２において、項目１２２以外の項目１１９、１２０、１２１を選択・確定する場合には、図９に示すスクロールキー１１１の走査キー１１１Ｂを押して、項目１２２にあるカーソル１１４を項目１１９、１２０、１２１のいずれかの位置に移動させ、ここで、確定キー１１１Ｅを押すことによって、選択・確定された項目１１９、１２０、１２１のいずれかに基づいて生産設備をコントロールすることができる。
【０００８】
【特許文献１】特になし
【発明の開示】
【発明が解決しようとする課題】
【０００９】
前記従来のコントローラ１００では、まず、複数個のアイコン２Ａ〜２Ｉを生産設備の操作メニューとして表示部１１０に表示したのち、これらアイコン２Ａ〜２Ｉの中から１つのアイコン（たとえばアイコン２Ｇ）を選択・確定し、この選択・確定されたアイコン２Ｇに相当する操作メニューを細分化したサブメニュー１００Ｘを表示し、さらに表示されたサブメニュー１００Ｘの中から１つの項目（たとえば項目１１８）をスクロールキー１１１の操作で選択・確定する煩雑な手順によって生産設備をコントロールしなければならない。このため、操作時間が長くなって操作能率を低下させるばかりか、操作エラーが発生しやすくなるのでコントローラの信頼性を損なうことになる。
【００１０】
本発明は、このような問題を解決するものであって、その目的とするところは、操作メニューとサブメニューおよびその項目の正確な選択・確定が容易であり、操作時間を短縮して操作能率を向上させることができるとともに、操作エラーの発生を抑制することで信頼性を高めることができる生産設備のコントローラを提供するものである。
【課題を解決するための手段】
【００１１】
本発明は、生産設備の操作メニューが表示される表示部を備えた生産設備のコントローラにおいて、前記操作メニューは操作体系に分類され、これら操作体系に分類した操作メニューを前記表示部に表示させる操作体系特定キーを備えていることを特徴とするものである。
【００１２】
これによれば、全ての操作メニューの数よりも格段に数の少ない操作体系特定キーの１つを選択して押すことによって、１つの操作体系の操作メニューのみを容易に表示部に表示することができる。
【００１３】
また、本発明は、前記操作メニューがサブメニューを有し、このサブメニューの項目が前記操作体系特定キーの経時押圧によりスクロールされて前記表示部に順次表示されることを特徴とするものである。これによれば、サブメニューの項目が多く、したがって、全項目を一括して表示部に表示しきれずに、非表示状態で残存する項目が発生しても、操作体系特定キーの押圧を継続する簡単な操作によって、前記非表示状態で残存する項目を表示することができる。
【００１４】
さらに、本発明は、サブメニューの項目の表示順位を、表示頻度の高い項目を表示頻度の低い項目に優先させることが望ましい。これによれば、操作体系特定キーの押圧を継続しなくても、表示頻度の高い項目を優先して表示部に表示することができる。
【００１５】
また、前記生産設備は、成形品取出機であることが望ましい。これによれば、成形品取出機のコントロールを迅速、容易かつ正確に行うことができる。
【発明の効果】
【００１６】
本発明によれば、全ての操作メニューの数よりも格段に数の少ない操作体系特定キーの１つを選択して押すことによって、１つの操作体系の操作メニューとサブメニューおよびその項目を容易に表示部に表示することができるので、従来のように、複数個のアイコンを生産設備の操作メニューとして表示部に表示したのち、これらアイコンの中から１つのアイコンを選択・確定し、この選択・確定されたアイコンに相当する操作メニューを細分化したサブメニューの項目を表示し、さらに、これら項目の中から１つの項目をスクロールキーの操作で特定したのちに、選択・確定するといった煩雑な操作が不要になる。このため、操作時間を短縮して操作能率を向上させることができるとともに、操作エラーの発生を抑制して、信頼性を高めることができる。
【発明を実施するための最良の形態】
【００１７】
図１は本発明に係る生産設備のコントローラの実施形態を示す正面図、図２は本発明に係る生産設備のコントローラの電気的構成の実施形態を示すブロック図である。なお、前記従来例と同一もしくは相当部分には同一符号を付して説明する。
【００１８】
図１のコントローラ１００は、生産設備である成形品取出機のコントロールに好適なもので、成形品取出機の全操作メニューを、たとえば、モニタメニュー、ティーチングメニュー、金型読出しメニューおよび全メニューの４つの操作体系に分類して特定する操作体系特定キー１３１を有し、この操作体系特定キー１３１は、モニタメニューを特定するモニターキー１３１Ａ、ティーチングメニューを特定するティ−チングキー１３１Ｂ、金型読出しメニューを特定する金型読出しキー１３１Ｃおよび全メニューを特定する全メニューキー１３１Ｄを備えている。
【００１９】
また、０〜９の数字を表示した１０個の数字キーからなる選択・確定キー１１２と、４方向走査を行う４つの走査キー１１１Ａ〜１１１Ｄを周囲に配置し、その中心部に確定キー１１１Ｅを配置したスクロールキー１１１とを備えている。なお、図中２００は電源スイッチを示す。
【００２０】
コントローラ１００は、図２に示す中央処理装置（ＣＰＵ）１２３を内蔵している。中央処理装置（ＣＰＵ）１２３は、表示処理部１２４、キー入力部１２５、キー判定部１２６、演算処理部１２７、アイコン項目（現在のスクロール状態判断部）１２８、入出力部１２９を備える。また、１１０は表示部、１１２は数字キー（選択・確定キー）、１３１は操作体系特定キー、１１１Ａ〜１１１Ｄはスクロールキー１１１における四方向走査を行う４つの走査キー、１１１Ｅはスクロールキー１１１における確定キーで、これらは、図１に示したものと同じものである。
【００２１】
図３は動作手順を示すフローチャート、図４は中央処理装置（ＣＰＵ）１２３の制御手順を示したフローチャートである。
【００２２】
図１〜図４において、電源スイッチ２００をＯＮすると（図３、図４のステップＳ１）、表示部１１０に手動画面（図示省略）が表示される。ここで、その画面中のダイレクトメニューキーを押して前記手動画面をダイレクト表示画面に切り替え、この表示画面に表示されている機能選択アイコンを選択することで、ダイレクトモードとデッドマンＳＷ画面を表示し、その画面のダイレクトモードを選択して確定することで、画面をダイレクトモードに遷移し、その画面を確定する一連の前段操作を行う。
【００２３】
今、成形品取出機にティ−チングを行うとすれば、前記一連の前段操作がなされたのちに、図１の操作体系特定キー１３１におけるティ−チングキー１３１Ｂを押圧する。これにより、表示部１１０には、図５に示すように、ティ−チングメニューに相当する操作メニューを細分化したサブメニュー１００Ｘのうちの４個の項目１１５〜１１８が表示される（図３、図４のステップＳ２）。また、４個項目１１５〜１１８は、数字１〜４によって区別され、かつ数字入力スペース１３０が設けられている。そして、カーソル１１４は、クロス斜線で示すように項目１１８を特定している。
【００２４】
同様に、図１の操作体系特定キー１３１におけるモニターキー１３１Ａを押圧すると、表示部１１０には、モニターメニューに相当する操作メニューを細分化したサブメニュー１００Ｘのうちの４個の項目１１５〜１１８が表示され（図５参照）、図１の金型読出しキー１３１Ｃを押圧すると、表示部１１０には、金型読出しメニューに相当する操作メニューを細分化したサブメニュー１００Ｘのうちの４個の項目１１５〜１１８が表示され（図５参照）、図１の全メニューキー１３１Ｄを押圧すると、表示部１１０には、全メニューに相当する操作メニューを細分化したサブメニュー１００Ｘの４個の項目１１５〜１１８が表示されることになる（図５参照）。
【００２５】
なお、本実施形態においては、モニターメニューのサブメニュー１００Ｘの項目は４個、ティーチングメニューのサブメニュー１００Ｘの項目は９個、金型読出しメニューのサブメニュー１００Ｘの項目は４個、全メニューのサブメニュー１００Ｘの項目は前記項目のトータル数である１７個とする。
【００２６】
図３、図４のステップＳ２において、図５に示すように、ティ−チングメニューに相当する操作メニューを細分化したサブメニュー１００Ｘのうちの４個の項目１１５〜１１８が表示された状態で、たとえば、項目１１８をティーチングメニューとして選択して確定したい場合には、この項目１１８に関連する数字４に該当する選択確定キー１１２の４の数字キー（図１参照）を押すことで、項目１１８を選択して確定することができ（図３、図４のステップＳ４、Ｓ５）、項目１１８の数字入力スペース１３０にティーチングコントロール対応数値を入力することによって（図３、図４のステップＳ６）操作が完了する。
【００２７】
また、図３、図４のステップＳ２において、図５に示すように、ティ−チングメニューに相当する操作メニューを細分化したサブメニュー１００Ｘのうちの４個の項目１１５〜１１８が表示された状態で、たとえば、項目１１５をティーチングメニューとして選択して確定したい場合には、図１に示すスクロールキー１１１の走査キー１１１Ｂを押して、図７の項目１１８にあるカーソル１１４を項目１１５に移動させ（図３、図４のステップＳ４）、この項目１１５に関連する数字１に該当する選択確定キー１１２における１の数字キー（図１参照）を押すことで、項目１１５を選択して確定することができ（図３、図４のステップＳ５）、項目１１５の数字入力スペース１３０にティーチングコントロール対応数値を入力することによって（図３、図４のステップＳ６）操作が完了する。
【００２８】
一方、図３、図４のステップＳ２において、ティ−チングメニューに相当する操作メニューを細分化したサブメニュー１００Ｘのうちの４個の項目１１５〜１１８が表示されていなければステップＳ２に戻る（図３、図４のステップＳ３）。
【００２９】
本実施形態では、ティーチングメニューのサブメニュー１００Ｘの項目は９個である。しかし、図３、図４のステップＳ２においては、図５に示すように、４個の項目１１５〜１１８しか表示されない。つまり、４個の項目以外の５個の項目は表示されていないことになる。この状態で、コントロールを所望する項目が、前記表示されていない５個の項目に含まれているとすれば、たとえば、図１に示すスクロールキー１１１の走査キー１１１Ｂを押して、図５で既に表示されている４項目１１５〜１１８を上方へスクロールして、所望する項目（図示省略）を表示部１１０に表示し（図３、図４のステップＳ４）、この所望する項目に関連する数字１に該当する選択確定キー１１２の数字キー（図１参照）を押すことで、該所望する項目を選択して確定することができ（図３、図４のステップＳ５）、所望する項目の数字入力スペース１３０にティーチングコントロール対応数値を入力することによって（図３、図４のステップＳ６）操作が完了する。
【００３０】
本発明は、図１に示す操作体系特定キー１３１におけるティーチングキー１３１Ｂの押圧を継続することで、図５に表示されている４項目１１５〜１１８を前述したスクロールキー１１１の押圧よりも簡単に上方へスクロールして、所望する項目を表示部１１０に表示することができる。
【００３１】
さらに、本発明は、ティーチングメニューにおけるサブメニュー１００Ｘの９項目の表示順位を、表示頻度の高い項目を表示頻度の低い項目に優先させることで、操作体系特定キー１３１の押圧を継続しなくても、表示頻度の高い項目を優先して表示部に表示することができる。このことは、他の操作メニューにおけるサブメニュー１００Ｘの項目においても言える。
【図面の簡単な説明】
【００３２】
【図１】本発明に係る生産設備のコントローラの実施形態を示す正面図である。
【図２】本発明に係る生産設備のコントローラの電気的構成の実施形態を示すブロック図である。
【図３】動作手順を示すフローチャートである。
【図４】中央処理装置（ＣＰＵ）の制御手順を示したフローチャートである。
【図５】サブメニューの項目表示の実施形態を示す説明図である。
【図６】コントローラの従来例を示す正面図である。
【図７】図６の表示部に表示された操作メニューの一例を示す説明図である。
【図８】サブメニューの項目表示の一例を示す説明図である。
【図９】サブメニューの項目表示の他の例を示す説明図である。
【符号の説明】
【００３３】
１００  コントローラ
１１０  表示部
１１５  サブメニューの項目
１１６  サブメニューの項目
１１７  サブメニューの項目
１１８  サブメニューの項目
１３１  操作体系特定キー
２Ａ〜２Ｉ  アイコン（操作メニュー）
【図１】
2007087231.tif 000003
【図２】
2007087231.tif 000004
【図３】
2007087231.tif 000005
【図４】
2007087231.tif 000006
【図５】
2007087231.tif 000007
【図６】
2007087231.tif 000008
【図７】
2007087231.tif 000009
【図８】
2007087231.tif 000010
【図９】
2007087231.tif 000011